(57)【要約】【課題】支持部における弾性変形への追従性の低下を抑制し着座者の快適性を高めることができる荷重支持部材、並びにそれを備えた背凭れおよび椅子の提供。【解決手段】椅子の背凭れに設けられる荷重支持部材であって、着座者からの荷重を受けて後方に弾性変形する荷重支持面および前記荷重支持面の上端部および下端部の少なくとも一方から後方に延びる延設片を有するパッド体と、水平方向に沿って延びる回転軸を中心として前記延設片を回転支持する回転支持部を有する支持体と、を備える、荷重支持部材。【選択図】図５
2020069349.tif 000002
【特許請求の範囲】
【請求項１】
椅子の背凭れに設けられる荷重支持部材であって、
着座者からの荷重を受けて後方に弾性変形する荷重支持面および前記荷重支持面の上端部および下端部の少なくとも一方から後方に延びる延設片を有するパッド体と、
水平方向に沿って延びる回転軸を中心として前記延設片を回転支持する回転支持部を有する支持体と、を備える、
荷重支持部材。
【請求項２】
前記延設片および前記回転支持部のうち一方は、前記回転軸を中心とする枢軸部を有し、
前記延設片および前記回転支持部のうち他方は、前記枢軸部を回転可能に支持する軸受部を有する、
請求項１に記載の荷重支持部材。
【請求項３】
前記延設片は、前記回転軸を中心とする円弧状の後方端面を有し、
前記回転支持部は、前記後方端面と隙間を介して前後方向に対向し前記回転軸を中心とする円弧状の対向面を有する、
請求項１又は２に記載の荷重支持部材。
【請求項４】
前記荷重支持面は、前方に突出する凸面形状を有し、
前記荷重支持面の前方への突出頂点は、上下方向一方側に偏って配置され、
前記パッド体は、少なくとも前記荷重支持面の上下方向一方側の端部から後方に延びる前記延設片において、前記回転支持部に回転支持される、
請求項１〜３の何れか一項に記載の荷重支持部材。
【請求項５】
前記パッド体は、前記荷重支持面の上端部および下端部からそれぞれ後方に延びる一対の前記延設片を有し、
前記支持体は、一対の前記延設片をそれぞれ回転支持する一対の前記回転支持部を有する、
請求項１〜４の何れか一項に記載の荷重支持部材。
【請求項６】
前記荷重支持面と前記延設片とは、なだらかな曲線状をなすように連続する、
請求項１〜５の何れか一項に記載の荷重支持部材。
【請求項７】
前記荷重支持部材は、ランバーサポートである、
請求項１〜６の何れか一項に記載の荷重支持部材。
【請求項８】
着座者の背中を支える背凭れ本体と、
前記背凭れ本体に取り付けられる請求項１〜７の何れか一項に記載の荷重支持部材と、を備える、
背凭れ。
【請求項９】
請求項８に記載の背凭れを備える、椅子。
【発明の詳細な説明】
【技術分野】
【０００１】
本発明は、荷重支持部材、背凭れおよび椅子に関する。
【背景技術】
【０００２】
従来、椅子の背凭れとして、着座者の腰椎部を支持するランバーサポートを有するものが知られている。特許文献１には、前方に凸状に湾曲するパッド材を有するランバーサポート（荷重支持部材）が開示されている。このパッド材は、前方からの荷重を受けて弾性変形し、上下方向の中央部が後方に凹むとともに上側部分および下側部分が上下方向外側に撓む。
【先行技術文献】
【特許文献】
【０００３】
【特許文献１】特開２００６−２８０４１６号公報
【発明の概要】
【発明が解決しようとする課題】
【０００４】
特許文献１のランバーサポートにおいて、パッド材の上縁部および下縁部は、ベース部材に固定支持される。このため、パッド材に荷重が付与されパッド材が弾性変形する際に、支持部分の近傍においてパッド体の上側部分および下側部分の撓みが阻害される。結果的に、パッド材の弾性変形が不十分となり着座者の快適性を損なう虞があった。
【０００５】
本発明は、このような課題に鑑みてなされたものであり、支持部における弾性変形への追従性の低下を抑制し着座者の快適性を高めることができる荷重支持部材、並びにそれを備えた背凭れおよび椅子の提供を目的とする。
【課題を解決するための手段】
【０００６】
本発明の一態様の荷重支持部材は、椅子の背凭れに設けられる荷重支持部材であって、着座者からの荷重を受けて後方に弾性変形する荷重支持面および前記荷重支持面の上端部および下端部の少なくとも一方から後方に延びる延設片を有するパッド体と、水平方向に沿って延びる回転軸を中心として前記延設片を回転支持する回転支持部を有する支持体と、を備える。
【０００７】
上述の構成によれば、パッド体は、延設片において回転支持される。このため、荷重支持面に着座者からの応力を受けてパッド体が弾性変形すると、延設片の後方端部が上下方向に回転する。すなわち、パッド体は支持部の近傍において弾性変形が阻害されることがない。結果的に、パッド体の後方への弾性変形が促進され、より広い面で着座者を支持することが可能となり、着座者の快適性を高めることができる。
【０００８】
上述の荷重支持部材において、前記延設片および前記回転支持部のうち一方は、前記回転軸を中心とする枢軸部を有し、前記延設片および前記回転支持部のうち他方は、前記枢軸部を回転可能に支持する軸受部を有する、構成としてもよい。
【０００９】
上述の構成によれば、延設片は、枢軸部が軸受部に挿入されることで回転支持部に支持される。このため、簡素な構造で、延設片を回転支持部によって回転支持機構を構成することができる。
【００１０】
上述の荷重支持部材において、前記延設片は、前記回転軸を中心とする円弧状の後方端面を有し、前記回転支持部は、前記後方端面と隙間を介して前後方向に対向し前記回転軸を中心とする円弧状の対向面を有する、構成としてもよい。
【００１１】
上述の構成によれば、前後方向において互いに対向する延設片の後方端面および回転支持部の対向面が、ともに回転軸を中心とする円弧状である。このため、延設片が回転軸周りに回転しても、後方端面と対向面との間の隙間の大きさが変化しない。したがって、延設片の回転に伴う後方端面と対向面と間の隙間への外部部材の挟み込みを抑制できる。また、後方端面と対向面との隙間を十分に狭くすることで、回転機構内に埃等が侵入することを抑制できる。なお、上述の構成において、後方端面および対向面のうち一方が、回転軸を中心として凹状の円弧面であり、他方が、回転軸を中心として凸状の円弧面である。
【００１２】
上述の荷重支持部材において、前記荷重支持面は、前方に突出する凸面形状を有し、前記荷重支持面の前方への突出頂点は、上下方向一方側に偏って配置され、前記パッド体は、少なくとも前記荷重支持面の上下方向一方側の端部から後方に延びる前記延設片において、前記回転支持部に回転支持される、構成としてもよい。
【００１３】
上述の構成によれば、荷重支持面の突出頂点は、上下方向一方側に偏って配置される。例えば、荷重支持部材がランバーサポートである場合、着座者の腰椎部を斜め下方から支持するために、荷重支持面の突出頂点は、上側に偏って配置される。この場合、荷重支持面は、突出頂点より上側領域の距離寸法が、突出頂点より下側領域の距離寸法より小さくなる。このため、荷重支持面に荷重が付与されると、上側領域の上側への変位が、下側領域の下側への変位より大きくなる。上述の構成によれば、荷重支持面の突出頂点が偏って配置される側の端部から後方に延びる延設片を回転支持することで、支持部におけるパッド体の変形の阻害を抑制し着座者の快適性を高めることができる。
【００１４】
上述の荷重支持部材において、前記パッド体は、前記荷重支持面の上端部および下端部からそれぞれ後方に延びる一対の前記延設片を有し、前記支持体は、一対の前記延設片をそれぞれ回転支持する一対の前記回転支持部を有する、構成としてもよい。
【００１５】
上述の構成によれば、パッド体は、上端および下端の延設片において、支持体により回転可能に支持される。このため、パッド体が上側および下側の何れに弾性変形する場合であっても、上端および下端で弾性変形が阻害されることがない。結果的に、パッド体の後方への弾性変形が促進され、より広い面で着座者を支持することが可能となる。
【００１６】
上述の荷重支持部材において、前記荷重支持面と前記延設片とは、なだらかな曲線状をなすように連続する、構成としてもよい。
【００１７】
上述の構成によれば、延設片が、荷重支持面の上端部又は下端部において荷重支持面からなだらかに繋がるため、延設片が後方に直線状に延びる場合と比較してパッド体全体の変形が阻害され難い。
【００１８】
上述の荷重支持部材において、前記荷重支持部材は、ランバーサポートである、構成としてもよい。
【００１９】
上述の構成によれば、荷重支持部材は、ランバーサポートとして着座者の腰椎部を支持して、着座者の快適性を高めることができる。
【００２０】
本発明の一態様の背凭れは、着座者の背中を支える背凭れ本体と、前記背凭れ本体に取り付けられる上記の荷重支持部材と、を備える。
【００２１】
上述の構成によれば、着座者の快適性を高めることができる背凭れを提供できる。
【００２２】
本発明の一態様の椅子は、上記の背凭れを備える。
【００２３】
上述の構成によれば、着座者の快適性を高めることができる椅子を提供できる。
【発明の効果】
【００２４】
本発明によれば、支持部における弾性変形への追従性の低下を抑制し着座者の快適性を高めることができる荷重支持部材、並びにそれを備えた背凭れおよび椅子を提供できる。
【図面の簡単な説明】
【００２５】
【図１】図１は、一実施形態の椅子の正面図である。
【図２】図２は、一実施形態の椅子の背面図である。
【図３】図３は、一実施形態の背凭れの側面図である。
【図４】図４は、一実施形態のランバーサポートの分解図である。
【図５】図５は、一実施形態のランバーサポートの断面図である。
【発明を実施するための形態】
【００２６】
以下、添付図面を参照して、本発明における背凭れおよびそれを備えた椅子を実施するための形態を説明する。しかし、本発明はこの実施形態のみに限定されるものではない。
なお、以下の各図面においては、各構成要素を見やすくするため、構成要素によって寸法の縮尺を異ならせて示すことがある。
【００２７】
以下の説明において、椅子の背凭れに背中を向けて正規姿勢で着座した人の正面を向く向きを「前」と呼び、それと逆側の向きを「後」と呼ぶものとする。また、椅子に正規姿勢で着座した人の上方を向く向きを「上」、それと逆側の向きを「下」と呼び、椅子に正規姿勢で着座した人の左方を「左」、右方を「右」と呼ぶこととする。また、椅子の左右方向を「幅方向」と呼ぶ。
【００２８】
また、図面においては、適宜３次元直交座標系としてＸＹＺ座標系を示す。ＸＹＺ座標系において、「Ｘ方向」は、図１に示す椅子の「幅方向」と平行な方向とする。「Ｚ方向」は、Ｘ方向と直交する方向であって図１の「上下方向」とする。「Ｙ方向」は、Ｘ方向とＺ方向との両方と直交する「前後方向」とする。
【００２９】
（椅子）
図１は、本実施形態の一態様における椅子１の構成を示す正面図である。図２は、本実施形態の一態様における椅子１の構成を示す背面図である。
【００３０】
図１に示すように、本実施形態の椅子１は、床面上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ６と、を備える。
【００３１】
脚部２は、キャスタ７ａ付きの多岐脚７と、多岐脚７の中央部より起立し、昇降機構であるガススプリングを内蔵する脚柱８と、を備える。
【００３２】
支基３は、脚柱８の上端部に取り付けられる。支基３には、脚柱８の昇降調整機構と背凭れ６の傾動調整機構が内蔵される。
【００３３】
座体４は、骨格部を成す座体外周枠本体部１３と、座体外周枠本体部１３に張設された座体用面材１４と、を有する。
【００３４】
座体外周枠本体部１３は、例えば合成樹脂によって形成され、上面視では四隅が丸みを帯びた略長方形状とされる。座体外周枠本体部１３の外周縁部には、座体外周枠本体部１３の内方に向かって凹む溝１３ｍが周方向に連続して形成される。
【００３５】
座体用面材１４は、多数の孔が形成されたメッシュ状であり、その外周端部が、座体外周枠本体部１３に形成された溝１３ｍに巻き込まれ、溝１３ｍ内に挿入される縁材によって座体外周枠本体部１３に固定される。
【００３６】
背凭れ６は、座体４に着座した着座者の背中からの荷重を支持する。背凭れ６は、その一部が支基３内の傾動調整機構に連結される。
【００３７】
（背凭れ）
以下、本実施形態における背凭れ６の具体的な構成について説明する。
図２に示すように、背凭れ６は、着座者の背中を支える背凭れ本体２０と、前記背凭れ本体に取り付けられるランバーサポート（荷重支持部材）３０と、を備える。
【００３８】
背凭れ本体２０は、外周枠部材２８と、外周枠部材２８に張設された背凭れ用面材２９と、外周枠部材２８を支持する背凭れ支持部材２２と、を備える。なお、背凭れ支持部材２２の後方には、背凭れ支持部材２２の締結部を覆う化粧板２３が取り付けられている。
【００３９】
外周枠部材２８は、矩形枠状である。外周枠部材２８は、幅方向（Ｘ方向）に離間した一対の縦杆２８ａと、上杆２８ｂと、下杆２８ｃと、を有する。上杆２８ｂは、一対の縦杆２８ａの上端部同士を繋ぐ。下杆２８ｃは、一対の縦杆２８ａの下端部同士を繋ぐ。外周枠部材２８は、背凭れ支持部材２２に固定される。外周枠部材２８は、例えば、樹脂、アルミ合金等により作製される。
【００４０】
背凭れ用面材２９は、多数の孔が形成されたメッシュ状の布である。背凭れ用面材２９は、外周端部において、外周枠部材２８に設けられた溝（図示略）に巻き込まれて外周枠部材２８に固定される。座体４に着座した着座者の背中は、背凭れ用面材２９の前面に接触する。外周枠部材２８に布状の背凭れ用面材２９を張設することにより、着座者の背中を適度な弾力で支持することができる。
【００４１】
背凭れ支持部材２２は、外周枠部材２８の後方に配置される。背凭れ支持部材２２は、外周枠部材２８を支持する。また、背凭れ支持部材２２は、座体４を支持する。背凭れ支持部材２２と外周枠部材２８および座体４との取り付け手段についての具体的な説明は省略するが、例えば、複数の締結具が用いられる。
【００４２】
図３は、本実施形態の一態様における背凭れ６の構成を示す側面図である。なお、図３において、背凭れ用面材２９および化粧板２３の図示は省略されている。また図３では、見やすさのために、背凭れ本体２０が幅方向中央において断面表示されている。
【００４３】
背凭れ支持部材２２は、一対の側杆部２２Ａと、第１横杆部２２Ｂと、第２横杆部２２Ｃと、一対の延出部２２Ｄと、を有する。
【００４４】
一対の側杆部２２Ａは、それぞれ外周枠部材２８の一対の縦杆２８ａに沿って上下方向に延びる。背凭れ支持部材２２は、一対の側杆部２２Ａにおいて、外周枠部材２８を支持する。
【００４５】
第１横杆部２２Ｂは、左右方向に沿って延び一対の側杆部２２Ａの上端部同士を繋ぐ。後述するように、第１横杆部２２Ｂには、ランバーサポート３０が取り付けられる。
【００４６】
延出部２２Ｄは、第１横杆部２２Ｂの下端から前方に向かって延びる。背凭れ支持部材２２は、一対の延出部２２Ｄにおいて支基３に取り付けられる。
【００４７】
第２横杆部２２Ｃは、第１横杆部２２Ｂより下側に位置する。第２横杆部２２Ｃは、側杆部２２Ａと延出部２２Ｄとの境界部から左右方向に沿って延びる。第２横杆部２２Ｃは、一対の側杆部２２Ａ同士を繋ぐ。また、第２横杆部２２Ｃは、一対の延出部２２Ｄ同士を繋ぐ。
【００４８】
（ランバーサポート（荷重支持部材））
図３に示すように、ランバーサポート３０は、椅子１の背凭れ６に設けられる。ランバーサポート３０は、椅子１に着座した着座者の腰椎部に当たる位置に配置される。ランバーサポート３０は、背凭れ用面材２９の後面側から、前側から後側に向かう着座者の荷重を受ける。
【００４９】
ランバーサポート３０は、背凭れ支持部材２２の第１横杆部２２Ｂに支持される基体３１と、基体３１に支持される支持体３３と、支持体３３に支持されるパッド体３７と、を有する。
【００５０】
基体３１は、第１横杆部２２Ｂに固定される一対の固定部３１ａと、支持体３３を支持する把持部３２と、を有する。
【００５１】
一対の固定部３１ａは、把持部３２の後方に位置する。一対の固定部３１ａは、幅方向に沿って並ぶ。一対の固定部３１ａには、それぞれ上下方向に貫通する貫通孔が設けられる。固定部３１ａの貫通孔には、固定部３１ａを第１横杆部２２Ｂに固定する留めねじが通される。固定部３１ａは、第１横杆部２２Ｂに設けられた孔部２２Ｂａに挿入された状態で、留めねじとこれに螺合するナットとにより第１横杆部２２Ｂに固定される。
【００５２】
図４は、ランバーサポート３０の分解図である。図４では、見やすさのために、背凭れ本体２０が幅方向中央において断面表示されている。
【００５３】
把持部３２は、支持体３３の後方に位置する基部３２ａと、基部３２ａから前方に延びる一対の側部３２ｂと、一対の側部３２ｂの前端部からそれぞれ幅方向内側に延びる一対の挟持部３２ｃと、を有する。また、一対の挟持部３２ｃの、幅方向内側の端面には、それぞれ幅方向内側に突出する係合突起３２ｃａが設けられる。把持部３２は、基部３２ａと、一対の側部３２ｂと、一対の挟持部３２ｃとにより、上下方向から見て前方に開口するＣ字形状を構成する。すなわち、把持部３２は、平断面視Ｃ字形状である。把持部３２は、平断面視Ｃ字形状の内部空間で支持体３３を把持する。
【００５４】
支持体３３は、上下方向に沿って延びるスライドプレート３４と、スライドプレート３４の上端部および下端部にそれぞれ位置する一対の回転支持部３５と、を有する。
【００５５】
スライドプレート３４は、把持部３２の基部３２ａ、一対の側部３２ｂおよび一対の挟持部３２ｃに囲まれた空間に嵌め込まれる。これにより、スライドプレート３４は、把持部３２に把持される。スライドプレート３４は、把持部３２の基部３２ａ、一対の側部３２ｂおよび一対の挟持部３２ｃに囲まれた空間内において上下方向に移動可能である。
【００５６】
スライドプレート３４の前面には、一対の波状リブ３４ａが設けられる。波状リブ３４ａは、スライドプレート３４の前面から前方に突出する。波状リブ３４ａは、幅方向に蛇行しながら上下方向に沿って延びる。一対の波状リブ３４ａは、幅方向においてそれぞれ挟持部３２ｃと対向する。一対の波状リブ３４ａの幅方向外側を向く面には、上下方向に沿って並ぶ複数の係合ノッチ３４ｂがそれぞれ形成される。係合ノッチ３４ｂは、幅方向内側に凹む凹部である。複数の係合ノッチ３４ｂの何れか１つには、挟持部３２ｃに設けられた係合突起３２ｃａが係合する。
【００５７】
本実施形態によれば、把持部３２の係合突起３２ｃａが、上下方向に並ぶ複数の係合ノッチ３４ｂの何れかに係合する。このため、支持体３３は、基体３１に対し複数段階の何れかの位置に固定される。また、係合突起３２ｃａに係合する係合ノッチ３４ｂを変えることで、基体３１に対する支持体３３の上下方向の位置調整が可能となる。すなわち、本実施形態によれば、背凭れ本体２０に対するパッド体３７の上下方向の位置調整が可能となる。
【００５８】
一対の回転支持部３５は、上下方向に沿って並ぶ。回転支持部３５は、前方を向く対向面３５ａと、対向面３５ａから前方に突出する一対の突出片３５ｂと、一対の突出片３５ｂにそれぞれ設けられる一対の枢軸部３６と、を有する。枢軸部３６は、回転軸Ｊを中心とする円柱形状を有する。ここで、回転軸Ｊとは、幅方向に沿って延びる仮想的な軸線である。
【００５９】
本実施形態において、スライドプレート３４の上端部および下端部にそれぞれ位置する一対の回転支持部３５は、略同形状である。しかしながら、一対の回転支持部３５は、必ずしも同形状でなくてもよい。
【００６０】
対向面３５ａは、後方に向かって凹む凹状である。対向面３５ａは、幅方向から見て回転軸Ｊを中心とする円弧状の面である。対向面３５ａは、パッド体３７の後方を向く端面（後述する後方端面３８ｃ）と隙間を介して前後方向に対向する。
【００６１】
一対の突出片３５ｂは、幅方向を板厚方向とする板状である。一対の突出片３５ｂは、幅方向に並ぶ。
【００６２】
枢軸部３６は、突出片３５ｂの幅方向外側を向く面から幅方向外側に突出する。１つの回転支持部３５に設けられる一対の枢軸部３６は、単一の回転軸Ｊ上に配置される。
【００６３】
図５は、ランバーサポート３０の断面図である。
パッド体３７は、背凭れ用面材２９を介して着座者の荷重を直接的に受けるパッド本体部３８を有する。
【００６４】
パッド本体部３８は、エラストマ等の弾性変形可能な軟質材からなる。パッド本体部３８は、前方を向く荷重支持面３８ａおよび荷重支持面３８ａの上端部および下端部からそれぞれ後方に延びる一対の延設片３８ｂと、を有する。すなわち、パッド体３７は、荷重支持面３８ａおよび一対の延設片３８ｂを有する。
【００６５】
荷重支持面３８ａは、略一様な形状で左右方向に延びる。荷重支持面３８ａは、前方に突出する凸面形状を有する。荷重支持面３８ａの前方への突出頂点Ｐは、上側に偏って配置される。これにより、荷重支持面３８ａは、着座者の腰椎部を斜め下方から支持することができる。
なお、ランバーサポート３０の取り付け姿勢などによっては、荷重支持面３８ａの突出頂点Ｐは、下側に偏って配置されていてもよい。すなわち、荷重支持面３８ａの突出頂点Ｐは、上下方向一方側に偏って配置されていればよい。
【００６６】
荷重支持面３８ａには、斜め上方向から着座者からの荷重Ｆを受ける。図５に二点鎖線で示すように、荷重支持面３８ａは、荷重Ｆを受けて後方に弾性変形する。これに伴い、荷重支持面３８ａの上端部は上側に向かって撓み、荷重支持面３８ａの下端部は下側に向かって撓む。
【００６７】
一対の延設片３８ｂは、上下方向に並ぶ。上側の延設片３８ｂは、支持体３３の上側の回転支持部３５に支持される。また、下側の延設片３８ｂは、支持体３３の下側の回転支持部３５に支持される。一対の延設片３８ｂは、荷重支持面３８ａの上端部および下端部において荷重支持面３８ａからなだらかな曲線状に繋がる。すなわち、荷重支持面３８ａと延設片３８ｂとは、なだらかな曲線状をなすように連続する。本実施形態のパッド体３７は、延設片が後方に直線状に延びる場合と比較して、パッド体３７全体の変形が阻害され難い。図５に二点鎖線で示すように、上側の延設片３８ｂは荷重支持面３８ａの変形に伴い上側に傾き、下側の延設片３８ｂは荷重支持面３８ａの変形に伴い下側に傾く。
【００６８】
一対の延設片３８ｂには、それぞれ軸受部材３９が埋め込まれる。一対の軸受部材３９は、上下方向に沿って並んで配置される。軸受部材３９は、樹脂材料又は金属材料などの硬質材からなる。軸受部材３９は、例えば、パッド本体部３８の延設片３８ｂの内部に、インサート成型によって埋め込まれる。本明細書において、軸受部材３９は、延設片３８ｂの一部である。
【００６９】
軸受部材３９は、後方に開口する凹形状を有する。軸受部材３９の内部には、後方に開口する収容空間３９Ａが設けられる。収容空間３９Ａには、後方から回転支持部３５の突出片３５ｂが挿入される。
【００７０】
軸受部材３９の幅方向内側を向く一対の内壁面には、それぞれ軸受部３９ａが設けられる。すなわち、延設片３８ｂは、軸受部３９ａを有する。軸受部３９ａは、軸受部材３９の幅方向内側を向く内壁面から幅方向外側に向かって凹む凹部である。軸受部３９ａは、平面視において回転軸Ｊを中心とする円形状である。軸受部３９ａには、回転支持部３５の枢軸部３６が挿入される。軸受部３９ａは、枢軸部３６を回転軸Ｊ周りに回転可能に支持する。
【００７１】
本実施形態によれば、回転支持部３５は、水平方向に沿って延びる回転軸Ｊを中心として延設片３８ｂを回転支持する。このため、荷重支持面３８ａに着座者からの応力を受けてパッド体３７が弾性変形すると、延設片３８ｂの後方端部は、上下方向に回転する。より具体的には、パッド体３７が弾性変形すると、上側の延設片３８ｂが回転軸Ｊ周りに上側に回転し、下側の延設片３８ｂが回転軸Ｊ周りに下側に回転する。このため、パッド体３７は、支持部の近傍において弾性変形が阻害されることがない。結果的に、パッド体３７の後方への弾性変形が促進され、より広い面で着座者を支持することが可能となり、着座者の快適性を高めることができる。
【００７２】
本実施形態において、パッド体３７は、荷重支持面３８ａの上端部および下端部からそれぞれ後方に延びる一対の延設片３８ｂを有する。また、支持体３３は、一対の延設片３８ｂをそれぞれ回転支持する一対の回転支持部３５を有する。すなわち、パッド体３７は、上端および下端の延設片３８ｂにおいて、それぞれ支持体３３により回転可能に支持される。このため、パッド体３７が上側および下側の何れに弾性変形する場合であっても、上端および下端の支持部で弾性変形が阻害されることがない。結果的に、パッド体３７の後方への弾性変形が促進され、より広い面で着座者を支持することが可能となる。
【００７３】
本実施形態では、パッド体３７の一対の延設片３８ｂがそれぞれ回転支持される場合について説明した。しかしながら、パッド体３７は、１つの延設片３８ｂのみを有していてもよい。また、パッド体３７は、一対の延設片３８ｂのうち、一方のみにおいて回転支持されていてもよい。この場合、他方の延設片は、固定支持されていてもよく、また支持されていなくてもよい。すなわち、パッド体３７は、荷重支持面３８ａの上端部および下端部の少なくとも一方から後方に延びて回転支持部３５により回転支持される少なくとも１つの延設片３８ｂを有していればよい。
【００７４】
また、パッド体３７は、少なくとも、荷重支持面３８ａの突出頂点Ｐが偏って配置される側（本実施形態では、上側）の延設片３８ｂにおいて回転支持されることが好ましい。荷重支持面３８ａにおいて、突出頂点Ｐより上側の領域を上側領域３８ａａとし、突出頂点Ｐより下側の領域を下側領域３８ａｂとする。本実施形態の荷重支持面３８ａの突出頂点Ｐは、上側に偏って配置される。このため、上側領域３８ａａの上下方向の距離寸法は、下側領域３８ａｂの上下方向の距離寸法より小さい。荷重支持面３８ａに荷重が付与されると、上側領域３８ａａの上側への変位が、下側領域３８ａｂの下側への変位より大きくなる。したがって、少なくとも、上側領域３８ａａを支持する上側の延設片３８ｂを回転支持することで、パッド体３７の変形の阻害を抑制し着座者の快適性を高めることができる。
なお、本実施形態では、荷重支持面３８ａの突出頂点Ｐは、上側に偏って配置される。しかしながら、突出頂点Ｐは、下側に偏って配置されていてもよい。この場合、少なくとも下側の延設片３８ｂが、回転支持されていればよい。
【００７５】
本実施形態では、回転支持部３５が枢軸部３６を有し、延設片３８ｂが軸受部３９ａを有する場合について説明した。しかしながら、回転支持部３５が軸受部を有し、延設片３８ｂが枢軸部を有していてもよい。すなわち、延設片３８ｂおよび回転支持部３５のうち一方が枢軸部３６を有し、他方が軸受部３９ａを有していればよい。凹状の軸受部３９ａと軸受部３９ａに挿入される枢軸部３６とを有する機構を採用することで、簡素な構造で延設片３８ｂを回転支持部３５に対し回転させることができる。
【００７６】
図５に示すように、延設片３８ｂは、後方を向く後方端面３８ｃを有する。後方端面３８ｃは、後方に向かって突出する凸状である。後方端面３８ｃは、幅方向から見て回転軸Ｊを中心とする円弧状の面である。後方端面３８ｃは、回転支持部３５の対向面３５ａと隙間を介して前後方向に対向する。
【００７７】
本実施形態によれば、前後方向において互いに対向する延設片３８ｂの後方端面３８ｃおよび回転支持部３５の対向面３５ａが、ともに回転軸Ｊを中心とする円弧状である。このため、延設片３８ｂが回転軸Ｊ周りに回転しても、後方端面３８ｃと対向面３５ａとの間の隙間の大きさが変化しない。したがって、延設片３８ｂの回転に伴う後方端面３８ｃと対向面３５ａと間の隙間への外部部材の挟み込みを抑制できる。また、後方端面３８ｃと対向面３５ａとの隙間を十分に狭くすることで、回転機構内に埃等が侵入することを抑制できる。
【００７８】
なお、本実施形態では、後方端面３８ｃが凸状の円弧面であり、対向面３５ａが凹状の円弧面である場合について説明した。しかしながら、後方端面３８ｃが凹状の円弧面であり、対向面３５ａが凸状の円弧面であってもよい。
【００７９】
以上に、本発明の実施形態を説明したが、実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【００８０】
上述した実施形態では、荷重支持部材としてのランバーサポート３０が背凭れ６に設けられる構成について説明した。しかしながら、ヘッドレストなどの他の荷重支持部材において上記の構成を採用してもよい。
【００８１】
また、上述の実施形態では、荷重支持面３８ａの突出頂点Ｐが上下方向一方側（より具体的には上側）に偏って配置される場合について説明した。しかしながら、荷重支持面３８ａは、上下対称形状であってもよい。この場合、荷重支持面３８ａの突出頂点Ｐは、荷重支持面３８ａの上下方向の中央に位置する。
【符号の説明】
【００８２】
１…椅子、６…背凭れ、２０…背凭れ本体、３０…ランバーサポート（荷重支持部材）、３３…支持体、３５…回転支持部、３５ａ…対向面、３６…枢軸部、３７…パッド体、３８ａ…荷重支持面、３８ｂ…延設片、３８ｃ…後方端面、３９ａ…軸受部、Ｆ…荷重、Ｊ…回転軸、Ｐ…突出頂点
【図１】
2020069349.tif 000003
【図２】
2020069349.tif 000004
【図３】
2020069349.tif 000005
【図４】
2020069349.tif 000006
【図５】
2020069349.tif 000007